(57)【要約】【課題】  放送波から得られた更新情報に基づきネットワーク上で公開されているマルチメディアデータに関する情報を提示することができる「車載用電子装置、マルチメディアデータに関する情報の提示方法および提示プログラム」提供する。【解決手段】  車載用電子装置１は、ラジオ放送を受信する受信手段と、受信手段により受信された放送波から、マルチメディアデータを公開しているポッドキャストのウエブサイトのＵＲＬを抽出する抽出手段と、抽出されたＵＲＬに基づきウエブサイトと通信する通信手段と、ウエブサイトのＲＳＳを取得する取得手段と、取得されたＲＳＳをディスプレイに提示する提示手段とを有する。【選択図】  図１
2010041264.tif 000002
【特許請求の範囲】
【請求項１】
マルチメディアデータを再生する機能を備えた車載用電子装置であって、
放送波を受信する受信手段と、
前記受信手段により受信された放送波から、マルチメディアデータを公開しているサイトのアドレス情報を抽出する抽出手段と、
前記抽出手段によって抽出されたアドレス情報に基づき前記サイトと通信する通信手段と、
前記通信手段を介して前記サイトの更新情報を取得する取得手段と、
前記取得手段によって取得された更新情報を提示する提示手段と、
を有する車載用電子装置。
【請求項２】
車載用電子装置はさらに、マルチメディアデータを記憶する記憶手段と、前記更新情報に含まれるマルチメディアデータのファイル名に一致するファイル名のマルチメディアデータが前記記憶手段に記憶されているか否かを検索する検索手段とを有し、前記提示手段は、一致するファイル名が検索されたとき、マルチメディアデータが記憶されていることを知らせる、請求項１に記載の車載用電子装置。
【請求項３】
車載用電子装置はさらに、前記検索手段が一致するファイル名を検索したとき、記憶されているマルチメディアデータのファイル名を、前記更新情報から得られたサイトのタイトルに変更するファイル名付与手段を含む、請求項１に記載の車載用電子装置。
【請求項４】
車載用電子装置はさらに、マルチメディアデータを格納する外部メディア機器を接続可能であり、前記記憶手段は、前記外部メディア機器から転送されたマルチメディアデータを記憶する、請求項２に記載の車載用電子装置。
【請求項５】
前記受信手段は、ラジオ放送を受信し、前記抽出手段は、ラジオ放送に含まれるＵＲＬ情報を抽出し、前記取得手段は、ＵＲＬ情報に従いウエブサイトから配信されるＲＳＳ情報を取得し、前記提示手段は、取得したＲＳＳ情報を解析しこれをディスプレイに表示する、請求項１に記載の車載用電子装置。
【請求項６】
マルチメディアデータを再生する機能を備えた車載用電子装置におけるマルチメディアデータに関する情報の提示方法であって、
放送波を受信するステップと、
受信された放送波から、マルチメディアデータを公開しているサイトのアドレス情報を抽出するステップと、
抽出されたアドレス情報に基づき前記サイトと通信するステップと、
前記サイトの更新情報を取得するステップと、
取得された更新情報を提示するステップと、
を有する情報の提示方法。
【請求項７】
マルチメディアデータを再生する機能を備えた車載用電子装置におけるマルチメディアデータに関する情報の提示プログラムであって、
放送波を受信するステップと、
受信された放送波から、マルチメディアデータを公開しているサイトのアドレス情報を抽出するステップと、
抽出されたアドレス情報に基づき前記サイトと通信するステップと、
前記サイトの更新情報を取得するステップと、
取得された更新情報を提示するステップと、
を有する情報の提示プログラム。
【発明の詳細な説明】
【技術分野】
【０００１】
本発明は、マルチメディアデータを再生する機能を備えた車載用電子装置に関し、特に、ポッドキャストのウエブサイトから配信されるマルチメディアデータに関する情報の提示に関する。
【背景技術】
【０００２】
ポッドキャストとは、ウエブサーバ上にマルチメディアデータファイル（音声データや動画データなど）をアップロードし、ＷＷＷ上にファイルを公開することである。公開されるマルチメディアファイルの種類は問わず、ポッドキャストのダウンロード専用ソフトウエアを利用して、指定のファイルを取得することができる。
【０００３】
ポッドキャストの由来は、アップル社のポータブルマルチメディアプレーヤであるiPod（アイポッド）（登録商標）と、放送を意味するbroadcast（ブロードキャスト）を組み合わせた造語であり、iPodなどの携帯プレーヤに音声データファイルを保存して聴くことが可能な放送番組という意味をもつ。しかし、現在では、iPodのような携帯プレーヤに限らず、また、ＭＰ３等のオーディオデータ以外のＭＰＥＧ４等の映像データの配信も含めてポッドキャストと呼ばれている。
【０００４】
ポッドキャストには、ウエブサイトの更新情報を配信する記述としてＲＳＳが用いられる。ＲＳＳとは、ＲＤＦ(Resource Description Framework)  Ｓｉｔｅ  Ｓｕｍｍａｒｙの略称であり、ニュースやブログなど各種のウエブサイトの更新情報を簡単にまとめ、これを配信するための幾つかの文書フォーマットの総称である。ＲＳＳは、ポッドキャストで公開されたオーディオデータファイルやビデオデータファイルの更新情報を配信し、また、新聞社などのニュース配信サイトでは最新ニュースを、テレビ局やラジオ局では番組情報を、各種企業ではプレスリリースや新製品情報を配信する。ＲＳＳに対応しているウエブサイトには、ＲＳＳ対応であることを示すためのマーク（例えばＲＳＳ）等が表示される。
【０００５】
ＷＷＷ上のウエブサイトに公開されたマルチメディアデータを取得し、管理する方法として、特許文献１は、閲覧中のウエブページ中のリンクからダウンロードした画像データ等にメタデータと呼ばれる関連情報を付与する技術を開示している。これによれば、画像データをダウンロードするとき、初期メタデータと画像データのウエブページ内の関連文字列を取得し、初期メタデータと関連文字列から追加メタデータを作成し、これを格納する。
【０００６】
また、テレビ放送などから受信したＵＲＬを抽出し、当該ＵＲＬに基づきインターネットにアクセスを可能とする放送受信機やネットワーク接続装置が特許文献２および３に開示されている。
【０００７】
【特許文献１】特開２００７−４１８６４号公報
【特許文献２】特開平１０−１４５６８７号公報
【特許文献３】特開２００３−３１９２７９号公報
【発明の開示】
【発明が解決しようとする課題】
【０００８】
米国などでは、従来のアナログ方式のＡＭ／ＦＭラジオ放送に加えて、アナログ信号と同時にデジタル信号を放送することができるハイブリッドデジタルラジオ放送（以下、ＨＤラジオと称す）が開始されている。例えば、ＨＤラジオ放送で受信した楽曲等のオーディオデータは、ＣＤ並みの高音質で視聴することができる。さらに、視聴中の番組や音楽に関連するポッドキャストのＵＲＬを、放送波を使い配信することが可能である。
【０００９】
車載用電子装置においてＨＤラジオ放送を受信する場合、放送波に含まれるポッドキャストのＵＲＬを抽出し、これをディスプレイに表示することが可能である。しかし、現状の車載用電子装置では、それ以上のＵＲＬを活用した機能を搭載しておらず、ユーザとって満足のいく十分な情報を提示することはできなかった。
【００１０】
例えば、車載用電子装置において、ラジオ放送で視聴中の楽曲に関するポッドキャストのＵＲＬを取得した場合、ユーザは、ディスプレイに表示されたＵＲＬを覚えておき、これを自宅のパーソナルコンピュータに手動で入力し、ポッドキャストのウエブサイトへアクセスしなければならなかった。ポッドキャストからダウンロードされた映像や音楽のマルチメディアデータ（またはコンテンツデータ）は、パーソナルコンピュータに保存され、次いで、パーソナルコンピュータから携帯用端末へ転送され、さらに携帯用端末から車載用電子装置へ転送され、車載用電子装置においてマルチメディアデータの再生が可能となる。
【００１１】
また、車載用電子装置に携帯電話機を接続し、携帯電話機の通信機能を利用してポッドキャストのウエブサイトから直接マルチメディアデータをダウンロードすることも可能であるが、マルチメディアデータのファイルサイズが大きいと、ダウンロードに多大な時間がかかり、移動体における通信としては非効率的であり現実的ではない。
【００１２】
さらに、車載用電子装置の記憶装置に既に記憶されているマルチメディアデータであっても、ポッドキャストのＵＲＬからは、既に取得しているマルチメディアデータであるか否かを認識することができない。このため、同じマルチメディアデータを繰り返しダウンロードし、それを車載用電子装置へ転送または記憶してしまうこともある。
【００１３】
本発明は、上記従来の課題を解決し、放送波から得られた更新情報に基づきネットワーク上で公開されているマルチメディアデータに関する情報を提示することができる車載用電子装置、マルチメディアデータに関する情報の提示方法および提示プログラムを提供することを目的とする。
【課題を解決するための手段】
【００１４】
本発明に係る車載用電子装置は、マルチメディアデータを再生する機能を備えたものであって、放送波を受信する受信手段と、前記受信手段により受信された放送波から、マルチメディアデータを公開しているサイトのアドレス情報を抽出する抽出手段と、前記抽出手段によって抽出されたアドレス情報に基づき前記サイトと通信する通信手段と、前記通信手段を介して前記サイトの更新情報を取得する取得手段と、前記取得手段によって取得された更新情報を提示する提示手段とを有する。
【００１５】
車載用電子装置はさらに、マルチメディアデータを記憶する記憶手段と、前記更新情報に含まれるマルチメディアデータのファイル名に一致するファイル名のマルチメディアデータが前記記憶手段に記憶されているか否かを検索する検索手段とを有し、前記提示手段は、一致するファイル名が検索されたとき、マルチメディアデータが記憶されていることを知らせることができる。
【００１６】
車載用電子装置はさらに、前記検索手段が一致するファイル名を検索したとき、記憶されているマルチメディアデータのファイル名を、前記更新情報から得られたサイトのタイトルに変更するファイル名付与手段を含むことができる。
【００１７】
車載用電子装置はさらに、マルチメディアデータを格納する外部メディア機器を接続可能であり、前記記憶手段は、前記外部メディア機器から転送されたマルチメディアデータを記憶することができる。
【００１８】
好ましくは前記受信手段は、ラジオ放送を受信し、前記抽出手段は、ラジオ放送に含まれるポッドキャストのＵＲＬ情報を抽出し、前記取得手段は、ＵＲＬ情報に従いウエブサイトから配信されるＲＳＳ情報を取得し、前記提示手段は、取得したＲＳＳ情報を解析しこれをディスプレイに表示する。
【００１９】
本発明に係る、マルチメディアデータを再生する機能を備えた車載用電子装置におけるマルチメディアデータに関する情報の提示方法または提示プログラムは、放送波を受信するステップと、受信された放送波から、マルチメディアデータを公開しているサイトのアドレス情報を抽出するステップと、抽出されたアドレス情報に基づき前記サイトと通信するステップと、前記サイトの更新情報を取得するステップと、取得された更新情報を提示するステップとを有する。
【発明の効果】
【００２０】
本発明によれば、放送波から配信されるアドレス情報を利用してマルチメディアデータを公開しているサイトの更新情報を取得し、これを提示するようにしたので、ユーザは、放送波に関連するマルチメディアデータについての多くの情報を迅速にかつ容易に知ることができる。さらに、車載用電子装置は、マルチメディアデータと比べて容量の小さな更新情報を取得するので、移動中であっても更新情報の取得が容易である。さらに、データ通信速度が小さくても短時間で更新情報を取得することが可能である。
【００２１】
さらに、更新情報のファイル名と一致するファイル名のマルチメディアデータが記憶されているとき、その旨を知らせるようにしたので、同一のマルチメディアデータを重複してダウンロードすることが防止される。さらに、更新情報のファイル名と記憶されたマルチメディアデータのファイル名が一致するとき、ファイル名を、サイトのタイトルに自動的に変更するようにしたので、ユーザは、ファイルの内容を反映したファイル名を付与する必要がなくなり、ユーザ利便性が向上される。
【発明を実施するための最良の形態】
【００２２】
本発明の最良の実施の形態について図面を参照して詳細に説明する。本実施の形態では、デジタル放送、アナログ放送または衛星放送等からオーディオデータやビデオデータを受信し、これを再生または記憶する機能を備えた車載用電子装置を例示する。
【実施例】
【００２３】
以下の実施例は、オーディオデータを対象に説明をする。すなわち、ＨＤラジオ放送からオーディオデータを受信するとき、当該オーディオデータからそこに含まれるポッドキャストのＵＲＬを抽出し、そのＵＲＬを利用してポッドキャストのウエブサイトから配信される更新情報を取得し、これをユーザに提示する例を説明する。
【００２４】
図１は、本発明の実施例に係る車載用電子装置を適用したオーディオデータを取得するシステムの一例を示している。同図において、実線は、オーディオデータに関する情報の取得ルートを示し、破線は、オーディオデータの取得ルートを示している。
【００２５】
本実施例に係る車載用電子装置１は、ラジオ放送局２から楽曲等のオーディオデータを受信し、受信したオーディオデータを再生し出力する。さらに車載用電子装置１は、受信したオーディオデータからポッドキャストのＵＲＬを抽出し、これをディスプレイに表示する。このポッドキャストのＵＲＬは、ラジオ放送で視聴しているオーディオデータを公開しているウエブサイトのアドレスである。
【００２６】
また車載用電子装置１は、携帯電話機６を接続し、携帯電話機６の通信機能を利用して、抽出したポッドキャストのＵＲＬを用い、そのウエブサイトにアクセスし、当該ウエブサイトから配信されている更新情報を取得する。さらに車載用電子装置１は、ポッドキャストに対応したソフトウエアを搭載しており、このソフトウエアにより更新情報を解析し、解析した更新情報をディスプレイに表示し、またはスピーカから音声出力し、ユーザに更新情報を提示する。更新情報は、オーディオデータに関連する情報、例えば、楽曲のファイル名、アーティスト名、リリース時期などの情報を含む。
【００２７】
ユーザは、ラジオ放送で受信された楽曲を視聴しながら、ポッドキャストのＵＲＬに加えて、当該楽曲に関する最新の情報を知ることができる。ユーザは、このような情報を参考にし、ポッドキャストのウエブサイトからオーディオデータをダウンロードするか否かを決定することができる。
【００２８】
ポッドキャストからオーディオデータをダウンロードする場合には、ユーザは、ネットワーク接続対応のパーソナルコンピュータ４に、手動でポッドキャストのＵＲＬを入力する。パーソナルコンピュータ４には、好ましくは、ポッドキャストのウエブサイトからオーディオデータをダウンロードするためのソフトウエアが搭載されており、入力されたＵＲＬに基づきネットラジオ局３からオーディオデータをダウンロードする。ダウンロードされたオーディオデータは、ｉＰｏｄなどのメモリを含む外部メディア機器５に転送され、さらに外部メディア機器５から車載用電子装置１の記憶装置に転送される。なお、ポッドキャストのＵＲＬは、ネットラジオ局に限らず、コンテンツデータを公開しそのダウンロードが可能なあらゆるウエブサイトが対象となり得る。
【００２９】
車載用電子装置１は、パーソナルコンピュータ４と同様に、無線ＬＡＮやＷｉＭａｘのような高速データ通信を行うことが可能である場合には、ダウンロード専用のソフトウエアを搭載し、抽出したＵＲＬに従い、ネットラジオ局３からオーディオデータを直接ダウンロードしてもよい。
【００３０】
ダウンロード専用のソフトウエアは、ポッドキャストの更新情報とリンクするＵＲＬを登録することで、登録されたＵＲＬから最新の更新情報を入手し、更新情報に関連付けされているマルチメディアデータを一括または選択してダウンロードすることができる。具体的には、更新情報を配信しているポッドキャストがデータを更新すれば、ユーザがポッドキャストのサイトを訪れなくとも、自動的に最新のオーディオデータファイルを入手することができる。
【００３１】
次に、本実施例の車載用電子装置について説明する。図２は、車載用電子装置の構成を示す図である。本実施例に係る車載用電子装置１は、アンテナ１０ａからＨＤラジオ放送を受信するＨＤラジオ受信部２０と、アンテナ１０ｂから衛星ラジオ放送を受信する衛星ラジオ受信部３０と、ＣＤやＤＶＤ等のメディアに記録されたオーディオデータやビデオデータを再生するメディア再生部４０と、各種メディアソースから取得したオーディオデータおよびビデオデータを信号処理する信号処理部５０と、ビデオデータを表示する液晶ディスプレイ６０と、オーディオデータを出力するスピーカ７０と、車載用オーディオ装置と着脱可能に接続された外部メディア機器５と、データやプログラム等を記憶する記憶部８０と、ユーザの指示を入力する入力部９０と、携帯電話機やその他の通信手段を介してネットワークまたは外部機器と通信する通信部１００と、車載用電子装置１を制御する制御部１１０とを含む。
【００３２】
ＨＤラジオ受信部２０は、制御部１１０からの制御信号Ｃｏｎｔに応答して所望の周波数のＨＤラジオ放送を受信し、受信したオーディオデータを信号処理部５０へ出力する。同様に、衛星ラジオ受信部３０は、制御部１１０からの制御信号Ｃｏｎｔに応答して所望の周波数の衛星ラジオ放送を受信し、受信したオーディオデータを信号処理部５０へ出力する。メディア再生部４０は、ＣＤ、ＤＶＤ、半導体メモリ等の媒体に記録されたオーディオデータまたはビデオデータを読出し、これらのデータを信号処理部５０へ出力する。
【００３３】
信号処理部５０は、制御部１１０からの制御信号Ｃｏｎｔによって制御され、入力されたオーディオデータをデコードし、オーディオデータに含まれる楽曲データやその属性データを抽出する。さらに信号処理部５０は、抽出された楽曲データの圧縮を解凍したり、楽曲データをアナログ信号に変換しこれをスピーカ７０へ出力する。また、信号処理部５０は、ビデオデータに関してもディスプレイ６０で表示するために必要な信号処理を行う。
【００３４】
外部メディア機器５は、好ましくは、オーディオデータやビデオデータ等を記憶するメモリと、メモリに記憶されたオーディオデータ等を再生する再生部と、車載用オーディオ装置１とデータ通信を可能にするデータ通信部とを備えている。データ通信の手段は、例えば、有線ケーブル、または赤外線またはブルートゥースなどの無線通信を含む。さらに、外部メディア機器５は、オーディオデータの再生情報やアルバムのジャケット写真を表示する表示部を含んでもよい。
【００３５】
入力部９０は、マウス、タッチパネル、リモコンその他の入力デバイスを含み、ユーザからの指示を制御部１１０へ入力する。通信部１００は、制御部１１０により制御され、ネットワークや外部機器との通信を制御する。通信部１００は、例えば上記したように携帯電話機を利用したり、その他の通信機能を有する携帯端末を利用したり、あるいは通信機能を内蔵するものであってもよい。制御部１１０は、例えばマイクロコンピュータから構成され、記憶部８０に格納されたプログラムを実行することにより各部を制御する。
【００３６】
図３は、制御部の機能ブロック図である。制御部１１０は、ＨＤラジオ放送からポッドキャストのＵＲＬを抽出するＵＲＬ抽出部１２０と、抽出されたＵＲＬをディスプレイ６０に表示させるＵＲＬ表示部１２２と、抽出されたＵＲＬのポッドキャストのウエブサイトにアクセスするＵＲＬアクセス部１２４と、アクセスされたウエブサイトから配信される更新情報を取得する更新情報取得部１２６と、取得した更新情報を解析する解析部１２８と、解析された更新情報を表示する更新情報表示部１３０と、解析された更新情報に含まれるファイル名に一致するオーディオデータを検索するファイル検索部１３２とを含む。
【００３７】
ここで、ＨＤラジオ受信部２０または衛星ラジオ受信部３０によって受信されるオーディオデータについて説明する。図４（ａ）は、オーディオデータに含まれるＩＤ３タグのデータ構造を示す。ＨＤラジオ放送等は、放送局の電子番組表や周波数情報などを含む放送局情報サービス（以下、ＳＩＳと称す）と、現在放送中の番組の内容紹介や放送時間帯情報などを含む番組サービスデータ（以下、ＰＳＤと称す）を含み、ＰＳＤの下層にＩＤ３タグを含んでいる。ＩＤ３タグは、ＭＰ３フォーマットのオーディオデータに付加される規格化された属性情報であり、この属性情報は、楽曲のタイトル、アーティストなどの識別情報を含んでいる。
【００３８】
ＩＤ３タグは、図４（ａ）に示すように、ヘッダー１４０に相当するＵＦＩＤ（Ｕｎｉｑｕｅ Ｆｉｌｅ ＩＤ）と、テキスト列からなる所有者識別子１５０と、データを持たないターミネータ１６０と、最大６４バイトデータの識別子１７０とを含んで構成される。
【００３９】
所有者識別子１５０はさらに、３バイトのフレームタイプ１５２と、２バイトのフォーマット１５４と、任意バイトのテキスト列１５６とを含み、各データの間には１バイトの空白領域であるデリミッターＤを含む。識別子１７０は、識別データ１７２と、任意の拡張領域１７４とを含み、識別データ１７２は、楽曲タイトル、アーティスト名、ジャンルなどの属性情報に加えてポッドキャストのＵＲＬ等を含む。好ましくは、ポッドキャストのＵＲＬは、視聴中の楽曲をダウンロードするときのウエブサイトを表すものである。
【００４０】
図４（ｂ）は、ＩＤ３タグの一例を示しており、楽曲のタイトルとして［TIT2(Song Title)＝”iBiquity”］、アーティスト名として［TPE2(Artist)=”Digital”］を含む。また、所有者識別子には、フレームタイプとして［Frame Type＝”APC”］を含み、フォーマットとして［Format＝“06”（PodcastFeedURL fiag）］を含み、テキスト列として図示するようなＵＲＬアドレスを含む。
【００４１】
制御部１１０は、ラジオ放送が受信されたとき、信号処理部５０によって解読されたＩＤ３タグに関する情報を受け取る。ＵＲＬ抽出部１２０は、解読されたＩＤ３タグの所有者識別子１５０に含まれるポッドキャストのＵＲＬを抽出する。ＵＲＬ表示部１２２は、抽出されたＵＲＬを、ディスプレイ６０に表示する。ＵＲＬアクセス部１２４は、通信部１００を制御し、抽出されたＵＲＬを用いてポッドキャストのウエブサイトをアクセスする。
【００４２】
更新情報取得部１２６は、アクセスしたウエブサイトから配信されるＲＳＳを更新情報として取得する。ＲＳＳは、ウエブサイトの見出しや要約などのメタデータを構造化して記述するＸＭＬベースのフォーマットであり、ウエブサイトの各ページのタイトル、アドレス、見出し、要約、更新時刻等を含む。ポッドキャストで使用する場合には、対象とする映像、音声コンテンツに関連するデータを規定し、ウエブサイトのコンテンツの内容を確実に説明するメタデータである。
【００４３】
解析部１２８は、更新情報取得部１２６によって取得された更新情報を解析し、そこに含まれる関連情報を抽出し、更新情報表示部１３０は、解析された更新情報をディスプレイ６０に表示する。ファイル検索部１３２は、更新情報に含まれるファイル名と一致するオーディオデータが記憶部８０および／または外部メディア機器５に記憶されているか否かを検索する。例えば、ファイル検索部１３２により一致するオーディオデータが既に格納されていることが検索された場合には、その旨をディスプレイ６０に表示する。他方、一致するオーディオデータが検索されなければ、更新情報に含まれるファイル名が格納されていないことをディスプレイ６０に表示する。
【００４４】
次に、車載用電子装置によるオーディオデータの取得動作について図５に示す動作フローを参照して説明する。まず、ＨＤラジオ受信部２０または衛星ラジオ受信部３０からユーザによって選択された放送局のオーディオデータが受信される（ステップＳ１０１）。オーディオデータに含まれるＩＤ３タグを解読し、そこに含まれる属性情報である、楽曲のタイトル、アーティスト名、ポットキャストのＵＲＬの全てが記憶部８０に格納される。
【００４５】
次に、ＵＲＬ抽出部１２０によってポッドキャストのＵＲＬが抽出され（ステップＳ１０２）、ＵＲＬアクセス部１２４によって抽出されたＵＲＬに基づきポッドキャストのウエブサイトがアクセスされる（ステップＳ１０３）。このアクセスにより、ポッドキャストのウエブサイトから配信されている更新情報が取得される（ステップＳ１０４）。更新情報は、テキスト情報のため、情報量が小さく、移動中の携帯電話機であっても比較的容易に取得することが可能である。
【００４６】
解析部１２８は、更新情報に含まれるオーディオデータのタイトル、アーティスト名、更新時期、その他の関連情報を抽出する（ステップＳ１０５）。ファイル検索部１３２は、解析されたファイル名と同一のオーディオデータが記憶部８０または外部メディア機器５に存在するか否かを検索し（ステップＳ１０６）、存在しているとき、その旨が更新情報表示部１３０によってディスプレイ６０に表示される（ステップＳ１０７）。存在していないとき、更新情報表示部１３０は、オーディオデータのタイトル、関連情報（コンテンツ）のサマリ、カテゴリ情報など更新情報から取得した情報をディスプレイ６０に提示する（ステップＳ１０８）。これにより、表示しても何の意味を持たないＵＲＬよりは、多くの情報をユーザに提示することが可能となる。
【００４７】
このような動作により、ユーザは、手動操作をすることなく、所望のコンテンツを既に取得している場合には、そのことを同時にユーザに知らせることができる。また、コンテンツを取得していなくとも、ＵＲＬを提示するよりは、多くの情報すなわち更新情報をユーザに提示することができる。これにより、ユーザは、ポットキャストからオーディオデータをダウンロードすべきか否かを容易に決定することができる。
【００４８】
なお上記実施例は、オーディオデータを取得する例を示したが、画像や映像等のビデオデータの取得も同様に行い得るものである。さらに、同一ファイル名が存在しないときに更新情報を提示したが、同一ファイルが存在するしないにかかわらず、更新情報を常に提示するようにしてもよい。
【００４９】
次に、本発明の第２の実施例について説明する。図１に示すように、外部メディア機器５から車載用電子装置１へオーディオデータを転送するとき、例えば、オーディオデータファイル名は、xxxx.mp3と表記され、動画データファイルは、xxxx.mp4と表記される。ファイル名は、必ずしもデータの内容を反映したものとは限らず、その場合には、ユーザ操作によってファイル名を付与する必要がある。さらに、そのようなデータを一旦再生してみないと、内容がわからないことがあり、ファイル名を付与するにも不便が多い。
【００５０】
第２の実施例は、記憶部８０および／または外部メディア機器５に格納されているオーディオデータのファイル名を自動で付与することを可能とする。図７は、第２の実施例によるファイル名を付与する動作フローを示している。
【００５１】
先ず、制御部１１０は、第１の実施例のときと同様に、更新情報に含まれるファイル名と同一のファイル名が格納されているか否かの処理（図５のステップＳ１０６）を実行する(ステップＳ２０１)。ファイル名が同一のオーディオデータが見つかったとき（ステップＳ２０２）、制御部１１０は、更新情報の解析結果からポッドキャストのウエブサイトのタイトルを抽出する（ステップＳ２０３）。次に、制御部１１０は、オーディオデータのファイル名と、抽出されたウエブサイトのタイトルとを比較し（ステップＳ２０４）、両者の名称が一致するとき、ファイル名が既にタイトルに変更されているため、処理を終了するが、両者の名称が一致しないとき、オーディオデータのファイル名をウエブサイトのタイトルに変更する（ステップＳ２０５）。
【００５２】
また制御部１１０は、ファイルが同一であるか否かの信頼性を高めるために、ファイルの容量を判断条件に加えるようにしてもよい。更新情報には、ファイルの容量を示す情報（例えば、length=xxxxx）の記述が含まれており、制御部１１０は、この情報と格納されているファイルのデータサイズを比較する。
【００５３】
さらに制御部１１０は、ファイルが同一であるか否かを更新日時を用いて判断してもよい。更新情報には、ファイルの更新日時を示す情報（例えば、xx月xx日xxxx年  xx時刻）の記述が含まれており、制御部１１０は、対象のファイルの作成日時がこれよりも新しいとき、別のファイルと判定する。
【００５４】
図７（ａ）は、ＲＳＳのＸＭＬフォーマットの記述例であり、図７（ｂ）は、ＲＳＳを取得しこれを解析したときの表示例である。本実施例の車載用電子装置では、ラジオ放送またはテレビ放送に含まれるポッドキャストのＵＲＬを抽出し、このＵＲＬを用いてポッドキャストのウエブサイトのＲＳＳを取得することで、図７（ｂ）に示すように、ポッドキャストのウエブサイトの要約や更新日時を含む更新情報をユーザに提示することができる。
【００５５】
図８は、図７のＲＳＳに関連し、ポッドキャストで公開されるビデオデータに関する記述例を示している。同図において、<enclosure>に、公開されるビデオデータに関する記述があり、ビデオデータのファイル名は、”kokkai_20080410_001.mp4”であり、ファイルサイズは、”length=”5766208”（5.7Mbyte）、更新時刻は、”Thu, 10 Apr 2008 16:55:40 JST”、ウエブサイトのタイトルは、”国会リポート(080410)”であり、これらは、矩形の枠で囲まれている。
【００５６】
第２の実施例で説明したように、ＲＳＳから取得したファイル名と、既に格納されているファイル名とが一致するとき、ビデオデータは同一ファイルと判定される。ウエブサイトのタイトルとして、”国会リポート(080410)”が抽出され、格納されているビデオデータのファイル名は、図８（ｂ）に示すように、”kokkai_20080410_001.mp4”から”国会レポート（080410）”に変更される。
【００５７】
以上、本発明の好ましい実施の形態について詳述したが、本発明は、特定の実施形態に限定されるものではなく、特許請求の範囲に記載された本発明の要旨の範囲内において、種々の変形・変更が可能である。例えば図２に示した車載用電子装置の構成は一例であって、必ずしも衛星ラジオ受信部やメディア再生部を包含しなくてもよい。
【図面の簡単な説明】
【００５８】
【図１】本発明の実施例に係る車載用電子装置を適用したコンテンツデータ取得システムの一例を示す図である。
【図２】図１に示す車載用電子装置の構成を示すブロック図である。
【図３】図２に示す車載用電子装置の制御部の機能ブロック図である。
【図４】図４（ａ）はオーディオデータに含まれるＩＤ３タグのデータ構造を説明する図であり、図４（ｂ）はＩＤ３タグの具体例である。
【図５】本発明の第１の実施例においてポットキャストのウエブサイトから更新情報を取得する動作を説明するフローチャートである。
【図６】本発明の第２の実施例においてファイル名を付与する動作を説明するフローチャートである。
【図７】図７（ａ）はＲＳＳのＸＭＬフォーマットの記述例であり、図７（ｂ）はＲＳＳの表示例である。
【図８】図８（ａ）はポッドキャストで公開されるビデオデータに関するＲＳＳの記述例、図８（ｂ）はリネームの具体例である。
【符号の説明】
【００５９】
１：車載用オーディオ装置            １０ａ、１０ｂ：アンテナ
２０：ＨＤラジオ受信部              ３０：衛星ラジオ受信部
４０：ＣＤ・ＤＶＤデバイス          ５０：信号処理部
６０：ディスプレイ                  ７０：スピーカ
８０：記憶部                        ９０：ユーザ入力部
１００：通信部                      １１０：制御部
【図１】
2010041264.tif 000003
【図２】
2010041264.tif 000004
【図３】
2010041264.tif 000005
【図４】
2010041264.tif 000006
【図５】
2010041264.tif 000007
【図６】
2010041264.tif 000008
【図７】
2010041264.tif 000009
【図８】
2010041264.tif 000010